(57)【要約】【課題】  放電特性が測定される蓄電池の放電エネルギの無駄な消費を防いで回収する。【解決手段】  第１および第２蓄電池１１，１２の充電特性および放電特性を測定するために、切換えスイッチ１５を第１スイッチング態様に切換えて、第１蓄電池１１を、放電制御回路１３によって放電し、充電制御回路１４から第２蓄電池１２に与えて充電し、このとき、充電のために不足する電力を、商用交流電源４１から整流回路４４を経て補充する。次に第２蓄電池を、切換えスイッチ１５の第２スイッチング態様で放電制御回路１３を経て充電制御回路１４に与え、第１蓄電池１１を充電し、充電電力には、商用交流電源４１から整流回路４４を経て得られた直流電力を補充する。【選択図】      図１
2005295694.tif 000002
【特許請求の範囲】
【請求項１】
複数の蓄電池のうち、少なくとも１つの蓄電池の電力を、残余の蓄電池に供給して、前記少なくとも１つの蓄電池の放電特性を測定するとともに、
前記残余の蓄電池の充電特性を測定することを特徴とする蓄電池の放電エネルギ回収装置。
【請求項２】
前記残余の蓄電池に、商用電源から整流回路を経て充電電力を補充することを特徴とする請求項１記載の蓄電池の放電エネルギ回収装置。
【請求項３】
前記少なくとも１つの蓄電池の放電電力の一部を、蓄積して前記残余の蓄電池に与える蓄電体、または
前記少なくとも１つの蓄電池の放電電力の一部を熱放散して消費する熱負荷を、さらに含むことを特徴とする請求項１または２記載の蓄電池の放電エネルギ回収装置。
【請求項４】
第１蓄電池と、
第２蓄電池と、
第１または第２蓄電池の放電特性を制御する放電制御回路と、
第１または第２蓄電池からの放電制御回路を介する電力が与えられ、第１または第２蓄電池の充電動作を制御する充電制御回路と、
第１および第２蓄電池の一方を放電制御回路に接続するとともに他方を充電制御回路に接続する第１スイッチング態様と、前記一方を充電制御回路に接続し、前記他方を放電制御回路に接続する第２スイッチング態様とを、切換える切換えスイッチとを含むことを特徴とする蓄電池の放電エネルギ回収装置。
【請求項５】
充電制御回路に商用電源からの電力を整流して補充する整流回路を、さらに含むことを特徴とする請求項４記載の蓄電池の放電エネルギ回収装置。
【請求項６】
放電制御回路の電力の一部を蓄積して充電制御回路に与える蓄電体、または
放電制御回路からの電力の一部を熱放散して消費する熱負荷を含むことを特徴とする請求項４または５記載の蓄電池の放電エネルギ回収装置。
【請求項７】
商用電力が与えられる蓄電池の放電特性を測定する際の蓄電池の放電電力を、空気調和装置に与え、この空気調和装置には、商用電力が補充されることを特徴とする蓄電池の放電エネルギ回収装置。
【請求項８】
複数の蓄電池の放電特性を測定する際の蓄電池の放電電力を、共通のインバータ７２ａ，７２ｂを介して、商用電源に連系することを特徴とする蓄電池の放電エネルギ回収装置。
【請求項９】
（ａ）複数の各蓄電池毎に設けられる充放電制御回路６９ａ，６９ｂであって、
蓄電池の放電動作を制御する放電制御回路と、
商用電源の電力が与えられ、蓄電池の充電動作を制御する充電制御回路と、
蓄電池を放電制御回路または充電制御回路に切換えて接続する切換えスイッチとを含む充放電制御回路と、
（ｂ）各放電制御回路からの電力を、商用電源に連系するインバータ７２ａ，７２ｂとを含むことを特徴とする蓄電池の放電エネルギ回収装置。
【請求項１０】
複数組の放電エネルギ回収ユニット７１ａ，７１ｂであって、各放電エネルギ回収ユニットは、
複数の各蓄電池毎に設けられる充放電制御回路６９ａ，６９ｂと、各ユニットに共通のインバータ７２ａ，７２ｂとを含み、充放電制御回路６９ａ，６９ｂは、
蓄電池の放電動作を制御する放電制御回路と、
商用電源の電力が与えられ、蓄電池の充電動作を制御する充電制御回路と、
蓄電池を放電制御回路または充電制御回路に切換えて接続する切換えスイッチとを含み、
インバータは、各放電制御回路からの電力を、商用電源に連系し、
蓄電池は、各放電エネルギ回収ユニット毎に、相互に充放電特性が異なる種類であることを特徴とする蓄電池の放電エネルギ回収装置。
【発明の詳細な説明】
【技術分野】
【０００１】
本発明は、２次電池である蓄電池の充放電特性を測定する際における放電エネルギを回収するための装置に関する。
【背景技術】
【０００２】
典型的な先行技術は、図１０に示される。充放電特性が測定されるべき蓄電池１は、切換えスイッチ２が充電制御回路３に接続され、たとえば商用電力が直流化されて整流された電力によって充電され、その充電特性が測定される。蓄電池１が充電された後、切換えスイッチ２によって放電制御回路４に接続され、蓄電池１の放電エネルギが、放電制御回路４を介して熱負荷５に与えられ、この熱負荷５によって、ジュール熱に変換されて消費され、放電特性が測定される。
【０００３】
したがって図１０に示される先行技術では、蓄電池の放電試験における電気エネルギは、熱として廃棄されており、無駄である。また熱負荷５が、たとえば試験が行われる建物の室内に設けられているとき、室内の温度が上昇し、作業者の環境が悪化する。その結果、室外の空気調和装置の冷房のための消費電力が増大してしまう。
【０００４】
他の先行技術は、熱負荷５を用いる代りに、放電制御回路４を介する蓄電池１の放電エネルギを、インバータによって交流化し、商用電源に与える。この先行技術では、インバータは、蓄電池１の充電期間中、使用されず、したがって稼動率が悪いという問題がある。またインバータは構成が複雑であり、高価であり、原価の低減に劣る。
【発明の開示】
【発明が解決しようとする課題】
【０００５】
本発明の目的は、蓄電池の放電エネルギを有効に回収することができるようにした蓄電池の放電エネルギ回収装置を提供することである。
【課題を解決するための手段】
【０００６】
本発明は、複数の蓄電池のうち、少なくとも１つの蓄電池の電力を、残余の蓄電池に供給して、前記少なくとも１つの蓄電池の放電特性を測定するとともに、
前記残余の蓄電池の充電特性を測定することを特徴とする蓄電池の放電エネルギ回収装置である。
【０００７】
また本発明は、前記残余の蓄電池に、商用電源から整流回路を経て充電電力を補充することを特徴とする。
【０００８】
また本発明は、前記少なくとも１つの蓄電池の放電電力の一部を、蓄積して前記残余の蓄電池に与える蓄電体、または
前記少なくとも１つの蓄電池の放電電力の一部を熱放散して消費する熱負荷を、さらに含むことを特徴とする。
【０００９】
また本発明は、第１蓄電池と、
第２蓄電池と、
第１または第２蓄電池の放電特性を制御する放電制御回路と、
第１または第２蓄電池からの放電制御回路を介する電力が与えられ、第１または第２蓄電池の充電動作を制御する充電制御回路と、
第１および第２蓄電池の一方を放電制御回路に接続するとともに他方を充電制御回路に接続する第１スイッチング態様と、前記一方を充電制御回路に接続し、前記他方を放電制御回路に接続する第２スイッチング態様とを、切換える切換えスイッチとを含むことを特徴とする蓄電池の放電エネルギ回収装置である。
【００１０】
また本発明は、充電制御回路に商用電源からの電力を整流して補充する整流回路を、さらに含むことを特徴とする。
【００１１】
また本発明は、放電制御回路の電力の一部を蓄積して充電制御回路に与える蓄電体、または
放電制御回路からの電力の一部を熱放散して消費する熱負荷を含むことを特徴とする。
【００１２】
本発明に従えば、図１〜図６に関連して後述されるように、第１および第２蓄電池の充電特性および放電特性を測定する際、切換えスイッチを図１の第１スイッチング態様に設定して、第１および第２蓄電池１１，１２のいずれか一方１１を放電制御回路に接続するとともに、いずれか他方１２を充電制御回路に接続し、前記一方の蓄電池の放電エネルギである放電電力を、放電制御回路に与えて放電動作を行い、この放電制御回路を介する放電エネルギを、充電制御回路から前記他方の蓄電池に与えて充電する。これによって前記一方の蓄電池の放電特性を測定しつつ、前記他方の蓄電池の充電特性を測定することができる。
【００１３】
この第１スイッチング態様による充放電特性の測定後、切換えスイッチを図２のように第２スイッチング態様に切換え、第１および第２蓄電池のいずれか一方を充電制御回路に接続するとともに、いずれか他方の蓄電池を放電制御回路に接続し、前記他方の蓄電池からの放電エネルギを、放電制御回路から充電制御回路に与え、前記一方の蓄電池を充電する。こうして前記一方の蓄電池の充電特性を測定しつつ、前記他方の蓄電池の放電特性を測定することができる。
【００１４】
第１および第２蓄電池のいずれかの充電のための電力が不足するときには、整流回路によって、商用電源からの電力を整流して直流化し、補充するようにしてもよい。
【００１５】
第１および第２蓄電池の容量または機械的構造もしくは化学的組成などの化学的構造が異なる種類であるとき、図５のように蓄電体または図６のように熱負荷のいずれか一方を選択的に接続して用いてもよい。蓄電体は、蓄電池であってもよいが、たとえばフライホイルなどの慣性体をモータで駆動し、そのモータへの電力を遮断した後には発電機として動作する構成であってもよく、そのほかの構成であってもよい。このような蓄電体または熱負荷は、放電制御回路の放電エネルギを、充電制御回路に与える電気回路の途中に介在される。
【００１６】
また本発明は、商用電力が与えられる蓄電池の放電特性を測定する際の蓄電池の放電電力を、空気調和装置に与え、この空気調和装置には、商用電力が補充されることを特徴とする蓄電池の放電エネルギ回収装置である。
【００１７】
本発明に従えば、図７に示されるように、建物の部屋の冷房または暖房を行う空気調和装置に、商用電力が与えられ、この空気調和装置には、放電特性が測定される蓄電池の放電時の電力が与えられる。こうして蓄電池の放電特性の測定時における放電エネルギを、空気調和のために有効に利用することができる。そのため、たとえば従来では、蓄電池からの放電電力を抵抗によって熱放散する先行技術に比べて、室内での熱放散が減少することにより、冷房時の空気調和のための電力が削減されるとともに放電エネルギを空気調和のために有効に利用することができ、その部屋の冷房または暖房を行うことができ、試験環境を良好に保つことができる。
【００１８】
また本発明は、複数の蓄電池の放電特性を測定する際の蓄電池の放電電力を、共通のインバータ７２ａ，７２ｂを介して、商用電源に連系することを特徴とする蓄電池の放電エネルギ回収装置である。
【００１９】
また本発明は、（ａ）複数の各蓄電池毎に設けられる充放電制御回路６９ａ，６９ｂであって、
蓄電池の放電動作を制御する放電制御回路と、
商用電源の電力が与えられ、蓄電池の充電動作を制御する充電制御回路と、
蓄電池を放電制御回路または充電制御回路に切換えて接続する切換えスイッチとを含む充放電制御回路と、
（ｂ）各放電制御回路からの電力を、商用電源に連系するインバータ７２ａ，７２ｂとを含むことを特徴とする蓄電池の放電エネルギ回収装置である。
【００２０】
また本発明は、複数組の放電エネルギ回収ユニット７１ａ，７１ｂであって、各放電エネルギ回収ユニットは、
複数の各蓄電池毎に設けられる充放電制御回路６９ａ，６９ｂと、各ユニットに共通のインバータ７２ａ，７２ｂとを含み、充放電制御回路６９ａ，６９ｂは、
蓄電池の放電動作を制御する放電制御回路と、
商用電源の電力が与えられ、蓄電池の充電動作を制御する充電制御回路と、
蓄電池を放電制御回路または充電制御回路に切換えて接続する切換えスイッチとを含み、
インバータは、各放電制御回路からの電力を、商用電源に連系し、
蓄電池は、各放電エネルギ回収ユニット毎に、相互に充放電特性が異なる種類であることを特徴とする蓄電池の放電エネルギ回収装置である。
【００２１】
本発明に従えば、図８および図９に示されるように、複数の各蓄電池毎に放電特性を測定し、これらの複数の蓄電池の放電電力を、共通のインバータ７２ａ，７２ｂに与えて交流化し、商用電源に連系する。したがって余剰電気エネルギをまとめてインバータによって変換するので、インバータの容量は小さくて済む。また各蓄電池毎にインバータをそれぞれ設けて商用電源に、個別的なインバータを介して連系する構成における各インバータの容量の総和に比べて、本発明の共通のたとえば単一のインバータ７２ａ，７２ｂの容量を、小さくすることができる。
【００２２】
さらにこれらの複数の各蓄電池との放電エネルギを共通のインバータで商用連系するユニットを、複数組設け、各ユニット毎に放電特性が測定されるべき蓄電池の容量、または機械的もしくは化学的構成が異なる各種類の蓄電池毎にまとめて各ユニットを構成するようにしてもよい。
【発明の効果】
【００２３】
本発明によれば、放電特性が測定されるべき蓄電池の放電エネルギを、充電特性が測定されるべき他の蓄電池の充電のために利用することができ、空気調和装置の電力として利用することができ、したがって先行技術における熱放散などの無駄な消費を防ぐことができる。また複数の蓄電池の放電エネルギをまとめて共通のインバータで交流化して商用電源に連系することができ、このことによってもまた無駄な放電エネルギの消費を防ぎ、商用電力に連系して有効な利用を図ることができる。
【発明を実施するための最良の形態】
【００２４】
図１は、本発明の実施の一形態の全体の構成を示す電気回路図である。充電特性と放電特性とが測定されるべき２つの蓄電池１１，１２が設けられる。蓄電池１１または１２の放電特性を測定するための放電動作を制御する放電制御回路１３が設けられる。また蓄電池１１または１２の充電特性を測定するための充電動作を制御する充電制御回路１４が設けられる。これらの蓄電池１１，１２と、放電および充電の制御回路１３，１４との間には、切換えスイッチ１５が介在される。
【００２５】
切換えスイッチ１５では、蓄電池１１に接続される端子１６，１７は、第１スイッチング態様を示す図１において、放電制御回路１３のための端子１８，１９に接続されるとともに、蓄電池１２のための端子２１，２２は、充電制御回路１４のための端子２３，２４に接続される。蓄電池１１の放電エネルギである放電電力は、切換えスイッチ１５の図１に示される第１スイッチング態様で、端子１６，１７；１８，１９を経て放電制御回路１３に与えられ、その放電動作が制御され、放電電力は、放電制御回路１３からライン２５，２６に導出される。
【００２６】
このライン２５，２６の放電電力は、充電制御回路１４に与えられ、切換えスイッチ１５の図１における第１スイッチング態様で、端子２３，２４から端子２１，２２を経て蓄電池１２に充電のために与えられる。放電特性は、（ａ）切換えスイッチ１５の端子１８，１９間に接続された電圧計３１と、（ｂ）端子１８と放電制御回路１３との間に介在される低抵抗値を有する抵抗３２と、この抵抗３２の両端の電圧を検出する電圧計３３とを含んで構成される電流計３４とによって、時間経過に伴って測定が行われる。また同様にして充電特性の測定のために、（ｃ）端子２３，２４間に電圧計３５が接続され、また（ｄ）端子２３と充電制御回路１４との間に低抵抗値を有する抵抗３６と、抵抗３６の両端の電圧を測定する電圧計３７とを含んで構成される電流計３８が設けられる。
【００２７】
蓄電池１２の充電特性を測定する際、その充電電力が不足するとき、ライン２５，２６には、商用交流電源４１からライン４２，４３を経て整流回路４４に商用電力が与えられ、整流回路４４によって整流された直流電力が、ライン２５，２６に補充される。２つの蓄電池１１，１２の容量、放電特性、充電特性などが同一または近似している特性である場合、整流回路４４を介して補充される電力は、わずかであればよい。
【００２８】
図２は、図１に示される実施の形態における他の動作状態を示す電気回路図である。図２では、切換えスイッチ１５において端子１６，１７は、端子２３，２４に接続され、端子２１，２２は端子１８，１９に切換えられて接続され、こうして第２スイッチング態様が設定される。これによって蓄電池１２の放電電力は、切換えスイッチ１５の端子２１，２２；１８，１９を経て放電制御回路１３に与えられ、ライン２５，２６から充電制御回路１４に与えられ、さらに端子２３，２４；１６，１７を経て蓄電池１１に与えられて充電される。蓄電池１１の充電電力が不足するとき、商用電源４１からの整流回路４４によって得られる直流電力が、補充される。
【００２９】
図３は、図１および図２に示される整流回路４４の具体的な構成を示す電気回路図である。ライン２５，２６間には、ダイオード５１，５２；５３，５４が直列接続された２つの直列回路が並列に接続される。商用電源４１のライン４２，４３は、各直列回路を構成するダイオード５１，５２；５３，５４のアノードとカソードとの接続点に、それぞれ接続される。
【００３０】
図４は、図１〜図３に示される実施の形態の動作を説明するための図である。図４（１）は、蓄電池１１の充放電動作を説明するための図であり、図４（２）は蓄電池１２の充放電動作を説明するための図である。時刻ｔ１〜ｔ２では、切換えスイッチ１５は、図２に示されるように第２スイッチング態様となっており、蓄電池１２の放電エネルギによって、蓄電池１１が充電される。時刻ｔ２〜ｔ３では、切換えスイッチ１５は図１に示される第１スイッチング態様となっており、蓄電池１１の放電エネルギが蓄電池１２を充電する。整流回路４４によって図４（３）に示されるように、商用電力４１の電力が直流化されて蓄電池１１，１２の充電のために補充される。
【００３１】
図５は、本発明の実施の他の形態の全体の構成を示す電気回路図である。この実施の形態は、前述の実施の形態に類似し、対応する部分には同一の参照符を付す。図５では、切換えスイッチ１５は、前述の図２に対応する第２スイッチング態様に切換えられている状態が示される。注目すべきはこの実施の形態では、ライン２５，２６には、蓄電体５７が接続される。蓄電池１１，１２の容量が相互に異なり、たとえば蓄電池１１の容量が蓄電池１２の容量に比べて大きい場合、蓄電池１２の放電エネルギに、蓄電体５７の電力が追加されて、蓄電池１１を充電するために用いられる。
【００３２】
蓄電池１１の容量が、蓄電池１２よりも大きい場合、この蓄電池１１の放電エネルギが前述の図１のような第１スイッチング態様となっているとき、その放電エネルギは蓄電池１２に与えられて蓄電池１２を充電するとともに、放電エネルギの一部は、蓄電体５７によって蓄積され、次回の蓄電池１２の放電による蓄電池１１の充電のために、用いられる。図５の実施の形態におけるそのほかの構成と動作は、前述の図１〜図４の実施の形態と同様である。
【００３３】
図６は、本発明の実施の他の形態の全体の構成を示す電気回路図である。この図６に示される実施の形態は、前述の図５の実施の形態に類似し、対応する部分には同一の参照符を付す。図６の実施の形態では、前述の図５の実施の形態における蓄電体５７に代えて、抵抗などの熱負荷５８が設けられる。これによって蓄電池１１，１２の容量が異なり、容量が小さい方の蓄電池１２を充電する際に余った放電エネルギは、熱負荷５８によって熱放散されて消費される。そのほかの構成と動作は、前述の図５の実施の形態と同様である。
【００３４】
図７は、本発明の実施の他の形態の電気回路図である。商用電源４１の電力はライン６１から整流回路４４に与えられて直流化され、充電制御回路１４によって充電動作が制御されて、切換えスイッチ６２の共通接点６３が個別接点６４に導通されて、蓄電池１１の充電特性が測定される。この蓄電池１１が充電された後、切換えスイッチ６２の共通点の接点６３は個別接点６５に切換えられ、充電エネルギは放電制御回路１３に与えられて放電動作が制御され、ライン６７から空気調和装置６８に与えられる。放電制御回路１３と充電制御回路１４と充放電特性が測定されて試験される蓄電池１１と切換えスイッチ６２とは、充放電制御回路６９を構成する。
【００３５】
空気調和装置６８には、たとえば圧縮式冷凍機を備え、圧縮機を駆動するために、ライン６７を介する放電電力が与えられる。この空気調和装置６８には、商用電力４１からの電力が補充される。空気調和装置６８によって、蓄電池１１の充電または放電の特性が測定される部屋の冷房または暖房などが行われる。そのほかの構成は、前述の実施の形態と同様である。
【００３６】
図８は、本発明の実施の他の形態の全体の構成を示す電気回路図である。この実施例では、複数（たとえば２）組の放電エネルギ回収ユニット７１ａ，７１ｂが備えられ、これらの各ユニット７１ａ，７１ｂの対応する構成要素には、同一の数字に添え字ａ，ｂを付して示し、総括的には添え字ａ，ｂを省略して示す。放電エネルギ回収ユニット７１は、複数の充放電制御回路６９と単一のインバータ７２とを含む。各充放電制御回路６９には、商用電源４１からライン４２，４３を介する交流電力が、整流回路４４によって直流化されて、与えられる。充放電制御回路６９は、前述の図７に示される構成と同様であり、対応する部分には同一の参照符を付す。インバータ７２は、各充放電制御回路６９からの電力を、交流化し、商用電源４１に連系して放電エネルギを回収する。放電エネルギ回収ユニット７１ａ，７１ｂにそれぞれ用いられる蓄電池１１ａ，１１ｂは、各組７１ａ，７１ｂ毎に、相互に充放電特性が異なる種類であり、たとえば蓄電池１１ａ，１１ｂは相互に容量が異なり、または機械的構成もしくは化学的構成などが異なる種類である。
【００３７】
マイクロコンピュータなどによって実現される処理回路７３は、各充放電制御回路６９ａ，６９ｂにそれぞれ備えられる放電制御回路１３、充電制御回路１４、切換えスイッチ６２などの動作を個別的に制御し、各蓄電池１１ａ，１１ｂの充電特性および放電特性を計測する。これらの放電制御回路１３および充電制御回路１４に関連して前述の図１に示される電圧計３１，３５および電流計３４，３８が備えられ、それらの検出出力は、処理回路７３に与えられ、図８では、図面の簡略化のために省略されている。
【００３８】
図９は、図８に示される１組の放電エネルギ回収ユニット７１ａの動作を簡略化して示す図である。図９（１）は、充放電制御回路６９ａにおける蓄電池１１ａの充電および放電の動作を説明する図であり、図９（２）は、他の充放電制御回路６９ａに含まれる他の蓄電池１１ａの充放電動作を説明するための図である。この放電エネルギ回収ユニット７１ａでは、処理回路７３は、図９（１）に示されるように、各充放電制御回路６９ａ毎に、切換えスイッチ６２の切換えタイミングを、時間Ｗ２１だけずらす。これによって複数の各蓄電池１１ａに供給する整流回路４４ａからの供給直流電力の容量を低減することができ、また各放電制御回路１３からインバータ７２ａに供給される放電エネルギの最大値を低減することができ、これらの充電電力および放電電力を、時間経過に伴って大きな変動が生じないようにして、その変動を抑制することができる。したがって整流回路４４ａおよびインバータ７２ａの容量をできるだけ低減することができるとともに、商用電源４１に与えられる放電エネルギの変動を抑制することができる。
【００３９】
放電エネルギ回収ユニット７１ａに含まれるさらにそのほかの充放電制御回路６９ａの蓄電池１１ａもまた、同様にして充放電動作が時間的にずれて処理回路７３によって制御される。このような放電エネルギ回収ユニット７１ａの処理回路７３による動作は、もう１つの放電エネルギ回収ユニット７１ｂに関しても同様である。
【図面の簡単な説明】
【００４０】
【図１】本発明の実施の一形態の全体の構成を示す電気回路図である。
【図２】図１に示される実施の形態における他の動作状態を示す電気回路図である。
【図３】図１および図２に示される整流回路４４の具体的な構成を示す電気回路図である。
【図４】図１〜図３に示される実施の形態の動作を説明するための図である。
【図５】本発明の実施の他の形態の全体の構成を示す電気回路図である。
【図６】本発明の実施の他の形態の全体の構成を示す電気回路図である。
【図７】本発明の実施の他の形態の電気回路図である。
【図８】本発明の実施の他の形態の全体の構成を示す電気回路図である。
【図９】図８に示される１組の放電エネルギ回収ユニット７１ａの動作を簡略化して示す図である。
【図１０】先行技術を示す電気回路図である。
【符号の説明】
【００４１】
１１，１１ａ，１１ｂ，１２  蓄電池
１３  放電制御回路
１４  充電制御回路
１５  切換えスイッチ
１６，１７；１８，１９；２１，２２；２３，２４  端子
４１  商用交流電源
４４  整流回路
５７  蓄電体
５８  熱負荷
６２  切換えスイッチ
６８  空気調和装置
６９，６９ａ，６９ｂ  充放電制御回路
７１，７１ａ，７１ｂ  放電エネルギ回収ユニット
７２，７２ａ，７２ｂ  インバータ
７３  処理回路
【図１】
2005295694.tif 000003
【図２】
2005295694.tif 000004
【図３】
2005295694.tif 000005
【図４】
2005295694.tif 000006
【図５】
2005295694.tif 000007
【図６】
2005295694.tif 000008
【図７】
2005295694.tif 000009
【図８】
2005295694.tif 000010
【図９】
2005295694.tif 000011
【図１０】
2005295694.tif 000012